(57)【特許請求の範囲】
【請求項１】
保持ブロック部材（１）と少なくとも１つのさらなる保持ブロック部材（５７）を備える、モジュール式プラグインサート（１０９）用の保持ブロック（１２１）であって、
前記保持ブロック部材（１）は、プラグ端部保護表面（５）と、ケーブル端部保護表面（３）と、前記保護表面（３、５）を取り囲む外側輪郭（７）と、コンタクト部材（９３）を受容するための少なくとも１つの受容開口部（９）と、を有しており、
前記受容開口部（９）は、前記プラグ端部保護表面（５）から前記ケーブル端部保護表面（３）まで延在し、かつ、前記保持ブロック部材（１）の前記外側輪郭（７）へと外に開いているとともに、
前記さらなる保持ブロック部材（５７）のさらなる外側輪郭（７ａ）が、前記保持ブロック部材（１）の前記外側輪郭（７）と相補の関係にあり、
前記保持ブロック部材（１）および前記さらなる保持ブロック部材（５７）は、前記外側輪郭（７）および前記さらなる外側輪郭（７ａ）が、前記少なくとも１つの受容開口部（９）の開口（１５）を封止する少なくとも１つの固着スリーブ（６５）に受容されるように構成されているとともに、
前記少なくとも１つの固着スリーブ（６５）は少なくとも１つの掛止部材（８７）を有し、前記少なくとも１つの掛止部材（８７）は前記保持ブロック（１２１）に設けられた掛止開口部（３７）内に掛止されるように構成されて、ポジティブロックを形成する、
保持ブロック（１２１）。
【請求項２】
前記プラグ端部（５）および／または前記ケーブル端部保護表面（３）から外に突出する、少なくとも１つの壁（３９）が設けられることを特徴とする、
請求項１に記載の保持ブロック（１２１）。
【請求項３】
前記さらなる保持ブロック部材（５７）が、プラグ端部のさらなる保護表面（５ａ）、ケーブル端部のさらなる保護表面（３ａ）、および前記さらなる保護表面（３ａ、５ａ）を取り囲む前記さらなる外側輪郭（７ａ）を備えるとともに、
前記さらなる保持ブロック部材（５７）が、コンタクト部材（９３）を受容するための少なくとも１つの受容開口部（９）を有しており、
前記受容開口部（９）は、前記プラグ端部のさらなる保護表面（５ａ）から前記ケーブル端部のさらなる保護表面（３ａ）まで延在し、かつ、前記さらなる保持ブロック部材（５７）の前記さらなる外側輪郭（７ａ）へと外に開いていることを特徴とする、
請求項１または２に記載の保持ブロック（１２１）。
【請求項４】
前記保持ブロック部材（１）および前記少なくとも１つのさらなる保持ブロック部材（５７）が、少なくとも部分的に互いに係合することを特徴とする、
請求項１から３のいずれか一項に記載の保持ブロック（１２１）。
【請求項５】
前記少なくとも１つの固着スリーブ（６５）が、前記保持ブロック（１２１）の外側輪郭（８）へと外に開いている前記受容開口部（９）を封止することを特徴とする、
請求項１から４のいずれか一項に記載の保持ブロック（１２１）。
【請求項６】
前記保持ブロック部材（１）の前記外側輪郭（７）と前記さらなる保持ブロック部材（５７）の前記外側輪郭（７ａ）とが接触する部分が、前記保持ブロック（１２１）の外側輪郭（８）へと外に開いていない受容開口部（９）を封止することを特徴とする、
請求項１から５のいずれか一項に記載の保持ブロック（１２１）。
【請求項７】
前記固着スリーブ（６５）が、前記保持ブロック（１２１）の外側輪郭（８）を前記ポジティブロックの様式で少なくとも部分的に取り囲むことを特徴とする、
請求項１から６のいずれか一項に記載の保持ブロック（１２１）。
【請求項８】
前記保持ブロック（１２１）を前記固着スリーブ（６５）にロックおよび／または固定するための、追加の機構が設けられることを特徴とする、
請求項１から７のいずれか一項に記載の保持ブロック（１２１）。
【請求項９】
前記固着スリーブ（６５）が、前記保護表面（３、３ａ、５、５ａ）のうちの少なくとも１つにおいて係合する少なくとも１つのロック機構（７７）を有することを特徴とする、
請求項１から７のいずれか一項に記載の保持ブロック（１２１）。
【請求項１０】
プラグ端部保護表面（５）、ケーブル端部保護表面（３）、ならびに前記保護表面（３、５）を取り囲む外側輪郭（８）を有する保持ブロック部材（１）を備える保持ブロック（１２１）を有し、さらに自体の長手方向拡張により差込方向（Ｓ）を規定する少なくとも１つのコンタクト部材（９３）を有するモジュール式プラグインサート（１０９）であって、
前記保持ブロック（１２１）が、請求項１から９のいずれか一項に記載の保持ブロック（１２１）であり、
前記コンタクト部材（９３）を、前記少なくとも１つの受容開口部（９）内へと、いずれの場合も差込方向（Ｓ）を横断する方向に向けられた受容方向（Ａ）に沿って導入できる、モジュール式プラグインサート（１０９）。
【請求項１１】
前記少なくとも１つのコンタクト部材（９３）が、前記保持ブロック（１２１）の前記少なくとも１つの受容開口部（９）内に保持され、前記差込方向（Ｓ）におけるまたはその反対方向における変位に抵抗して固着され、
前記コンタクト部材（９３）が好ましくは、前記プラグ端部保護表面（５）および前記ケーブル端部保護表面（３）に対して実質的に垂直に延在することを特徴とする、
請求項１０に記載のモジュール式プラグインサート（１０９）。
【請求項１２】
前記少なくとも１つのコンタクト部材（９３）が、前記少なくとも１つの保持ブロック部材（１）と少なくとも部分的に係合させることが可能であることを特徴とする、
請求項１０または１１に記載のモジュール式プラグインサート（１０９）。
【請求項１３】
前記係合が、前記少なくとも１つのコンタクト部材（９３）の前記外側輪郭と前記少なくとも１つの受容開口部（９）の内側輪郭との間に、少なくとも部分的に存在することを特徴とする、
請求項１２に記載のモジュール式プラグインサート（１０９）。
【発明の詳細な説明】
【技術分野】
【０００１】
本発明は、プラグ端部保護表面、ケーブル端部保護表面、ならびにこれらの保護表面を取り囲む外側輪郭を有する保持ブロック部材を備える、モジュール式プラグインサート用の保持ブロックに関する。さらに、本発明は、プラグ端部保護表面、ケーブル端部保護表面、ならびにこれらの保護表面を取り囲む外側輪郭を有する保持ブロック部材を備える保持ブロックを有し、さらに自体の長手方向拡張により差込方向を規定する少なくとも１つのコンタクト部材を有する、モジュール式プラグインサートに関する。
【背景技術】
【０００２】
保持ブロックおよびモジュール式プラグインサートが、先行技術から知られている。知られている解決法の場合、圧着コンタクトなどのコンタクト部材が、たとえば完全に嵌合したプラグの続く差込方向に沿って保持ブロック内へと導入され、たとえば掛止フック（latching hook）を用いて保持ブロック内に固定される。この場合、各圧着コンタクトは、それ自体の掛止フックを有し得る。モジュール式プラグインサートは、その中でケーブルがいずれの場合も掛止フックを用いて固止されるが、その後さらにプラグハウジングの中で固止されねばならず、この目的のために第２の係止が必要となる。この係止を、さらなる掛止フックによって、またはコンタクトのねじ込み係止もしくは押出被覆によって実行することができる。保持ブロックまたはプラグインサートにおいてそのような様式で実現されるケーブルの固止は、プラグの装着を困難にし、また個々のケーブルを固定するための要件により、嵌合面を可能な限り小さくなるように構築することが妨げられる。
【発明の概要】
【発明が解決しようとする課題】
【０００３】
本発明の目的は、コンタクト部材を受容するチャンバの空間最小化を達成し、このことにより、嵌合面を可能な限り小さく構成することである。装着の単純化も、本発明の目的である。
【課題を解決するための手段】
【０００４】
上述された種類の保持ブロックに関して、この目的は、コンタクト部材を受容するための少なくとも１つの受容開口部が提供され、この受容開口部が、プラグ端部保護表面からケーブル端部保護表面まで延在しかつ保持ブロック部材の外側輪郭へと外に開いているという形で、本発明により達成される。
【０００５】
上述された種類のモジュール式プラグインサートに関して、この目的は、本発明による保持ブロックが提供され、この場合、コンタクト部材を、少なくとも１つの受容開口部内へと、いずれの場合も差込方向を横断する方向に向けられた受容方向に沿って導入できる、という形で、本発明により達成される。
【０００６】
これらの解決法は、先行技術から知られるように、コンタクト部材を、保持ブロックまたはプラグインサート内に、続く差込方向においてまたはその反対方向において導入する必要がない、とう利点を有する。コンタクト部材の挿入が続く差込方向に対して横断方向に実行され、この結果、掛止フックを使用しないことが可能となり、装着がより容易になる。
【０００７】
本発明による解決法を、それら自体有利でありかつ所望に応じて互いと組み合わせることのできる、様々な構成によってさらに改善することができる。これらの構成およびこれらと関連付けられた利点について、以下で詳細に記載する。
【０００８】
１つの有利な構成では、本発明による保持ブロックの外側輪郭は、画定された幾何学的形態を有し得る。保持ブロックはこの場合、たとえば、円形または矩形とすることができる。さらに、保持ブロックの外側輪郭は、たとえば三角形またはｎ本の辺を有する多角形などの、任意の他の幾何学的な形をとることができる。
【０００９】
ケーブル端部保護表面を、プラグ端部保護表面と実質的に平行に配置することができる。
【００１０】
保持ブロックを、中実体または中空体として構成することができる。保持ブロックが中空体として構成される場合は、プラグ端部保護表面およびケーブル端部保護表面はそれぞれ、たとえばウエブを介して互いに接続可能なプレートを表す。この構成の場合、２つの保護表面は、任意の所望の形態のウエブを介してのみ互いに接続され、受容開口部は、２つの保護表面の各々の中に別個にあるが互いに対向して存在し得る。この場合、受容開口部の内側面は、２つのストリップ形状の表面を備える。
【００１１】
保持ブロックを、中実体として構成することができる。すなわち、受容開口部の内側面は、切れ目のない表面である。
【００１２】
中実体としての保持ブロックの構成の場合または中空体としての保持ブロックの構成の場合の両方において、受容開口部の内側面を、追加的に処理することができる。この場合、受容開口部の前記内側面に、機械的に処理された機能性被覆を設けること、またはたとえばゴム被覆を設けることができる。たとえば、摩擦軽減層または研磨摩耗を軽減する被覆は、機能性被覆と見なされ得る。受容開口部の内側面に、たとえば後から挿入されることになるコンタクト部材との摩擦を大きくする構造を設けることも考えられる。
【００１３】
保持ブロックは、外側輪郭全体にわたって所望に応じて分布させることのできる、いくつかの受容開口部を有し得る。受容開口部は、外側輪郭に沿って所望に応じて配置できるだけでなく、様々な深さおよび／または幅を有することもできる。受容開口部の配置、幅、および深さに関して、任意の所望の組み合わせが考えられる。受容開口部の位置、深さ、および幅のこの組み合わせの結果として、様々な基準に対応可能な非常に幅広い嵌合面を実現することができる。
【００１４】
保持ブロックのさらなる有利な構成では、プラグ端部保護表面および／またはケーブル端部保護表面から外に突出する、少なくとも１つの壁が設けられる。
【００１５】
この壁を、保持ブロックから押出成形することができるか、またはこの壁は、後から取り付けられる別個の部材を表すことができる。
【００１６】
１つの壁または複数の壁を、プラグ端部保護表面および／またはケーブル端部保護表面から離れる方向を向く、受容開口部の内壁の伸張部と見なすことができる。１つの壁または複数の壁は、保護表面から離れる方向を向く方向における受容開口部の広がりを大きくし、こうして後から挿入されることになるコンタクト部材に対して、より大きい受容および担持表面を提供することができる。
【００１７】
１つの壁または複数の壁は、単独の、いくつかの、または全ての受容開口部においてさらに存在し得る。この場合、壁を設けられた全ての受容開口部に関して壁の高さが同じであれば、または壁の端面が、関連付けられたコンタクト表面と平行に互いと面一であれば、有利である。
【００１８】
個々の受容開口部の壁を、互いから空間的に分離することができる。しかし、互いに隣り合って位置付けられた異なる受容開口部の壁が、互いに接触することも、または互いへと融合する、すなわち接触の箇所において材料接続を有することすら可能である。この壁の材料接続は、保持ブロックの安定性を高めるために、特に有利である。
【００１９】
１つの壁または複数の壁の端部は、壁にわたる平均の場合よりも小さい壁厚さを有し得る。１つの壁または複数の壁の端部は、続いて挿入されることになる部材の挿入を単純化する面取り部を、さらに有し得る。
【００２０】
１つの壁または複数の壁は、１つの受容開口部または複数の受容開口部の１つの内壁または複数の内壁の、ずれのない連続体を形成することができ、この場合、１つの受容開口部または複数の受容開口部の１つの内壁または複数の内壁は、保護表面同士の間の方向においてまたはその反対方向において、段部また縁部を有さない。
【００２１】
１つの壁または複数の壁を、１つの受容開口部または複数の受容開口部から離れるようにずらして構築することも可能である。この構成では、縁部または段部が、保護表面同士の間の方向においてまたはその反対方向において見出される。そのような段部は、後から挿入されることになる部材を前記段部上で支持できるという利点を有し得る。
【００２２】
保持ブロックの本発明によるさらなる構成では、少なくとも１つのさらなる保持ブロック部材が提供され、そのさらなる外側輪郭は、保持ブロック部材の外側輪郭と相補の関係にある。
【００２３】
保持ブロックを形成する保持ブロック部材は、単独で見た場合、複雑な外側輪郭を有し得るものの、この外側輪郭は、保持ブロック部材の相補的な設計によって、単純化された外側輪郭、たとえば保持ブロック全体の円形の外側輪郭を形成するように、単純化することができる。
【００２４】
様々な保持ブロック部材を、同じ材料からまたは様々な材料から製造することができる。様々な材料は、保持ブロック部材同士を相違させる役割を果たし得る。いくつかの保持ブロック部材を相違させることおよびこれらの装着の改善を目的として、これらは、たとえば色コード化および／または表面構造によるコード化によって実現可能なマークを、追加的に有し得る。
【００２５】
個々の保持ブロック部材が対称性を有することも可能であり、この結果、プラグ端部保護表面とケーブル端部保護表面を相違させる必要がなくなる。したがって、そのような保持ブロック部材の設置によって、この場合プラグ端部保護表面とケーブル端部保護表面が入れ替えられるが、機能が損なわれることがない。
【００２６】
さらなる保持ブロック部材が、保持ブロックの外側輪郭から保持ブロックの内面まで幅が狭くなっている、さらなる外側輪郭を有すれば有利である。このことにより、続く差込方向を横断する方向における、さらなる保持ブロック部材の挿入が可能になる。続く差込方向は、保持ブロック部材の保護表面に対して垂直である。
【００２７】
それでもなお、さらなる保持ブロック部材が、保持ブロックの外面から保持ブロックの内面まで広くなっているさらなる外側輪郭を有することも可能である。ただ１つのさらなる保持ブロック部材を用いて保持ブロックを形成するような様式で構成された、さらなる保持ブロック部材の場合、さらなる保持ブロック部材を保持ブロック部材内に、続く差込方向にまたはその反対方向に導入することが必要である。
【００２８】
保持ブロックが３つ以上の保持ブロック部材を備える場合、かつ１つのさらなる保持ブロック部材のみが保持ブロックの外面から内面までより広くなるさらなる外側輪郭を有する場合、続く差込方向を横断する方向における保持ブロック部材の挿入が、それでもやはり可能である。このことは、続く差込方向を横断する方向に最後に挿入されることになる保持ブロック部材が、外面から内面まで小さくなっている幅を有する保持ブロック部材であるという形で実現可能である。
【００２９】
２つ以上の保持ブロック部材を、２つ以上の保持ブロック部材の外側輪郭が、保持ブロックの組立後に連結受容開口部を形成するような様式で構成することができる。この場合、たとえば、２つの保持ブロック部材の外側輪郭が、保持ブロックを形成するための組立後に円形の受容開口部を形成する半円形の受容開口部を、いずれの場合も有することが可能である。
【００３０】
組み立てられた保持ブロックは、切れ目のないプラグ端部保護表面およびケーブル端部保護表面を有し得るが、組み立てられた保持ブロックは、材料の節減を理由として、たとえば保護表面に凹部も有し得る。凹部は、受容開口部を表すことなく、プラグ端部保護表面からケーブル端部保護表面まで延在し得る。
【００３１】
保持ブロックのさらなる有利な構成では、これは、プラグ端部のさらなる保護表面、ケーブル端部のさらなる保護表面、およびこれらのさらなる保護表面を取り囲むさらなる外側輪郭を備え、プラグ端部のさらなる保護表面からケーブル端部のさらなる保護表面まで延在しかつさらなる保持ブロック部材のさらなる外側輪郭へと外に開いている、コンタクト部材を受容するための少なくとも１つの受容開口部を有する、さらなる保持ブロック部材を備える。
【００３２】
ケーブル端部のさらなる保護表面を、プラグ端部のさらなる保護表面と実質的に平行に配置することができる。
【００３３】
そのような様式で構成された保持ブロック部材は、保持ブロックの外側輪郭から内面までの受容開口部の長さを過度に長くするよう選択する必要なく、受容開口部を保持ブロック全体にわたって所望に応じて分布させることができる、という利点を有する。
【００３４】
過度に大きくない受容開口部の長さの広がりは、保持ブロックの安定性を損なわない。受容開口部を、２つ以上の保持ブロック部材によって形成することができる。
【００３５】
外側輪郭において外に開いている受容開口部は、組み立てられた状態であっても外向きに向く開口部を、常に有する。ただし受容開口部を、いくつかの保持ブロック部材で少なくとも部分的に構成することもできる。いくつかの受容開口部は、保持ブロックの組み立てられた状態において完成する受容開口部を表し得る。いくつかの構成要素としての受容開口部から成る前記受容開口部は、保持ブロックの組み立てられた状態において、閉じた内壁を有することができ、ケーブル端部保護表面およびプラグ端部保護表面に向かって開かれ得る。
【００３６】
さらなる保持ブロック部材の受容開口部も、受容開口部の内壁において、保持ブロック部材の受容開口部と同様の処理を受けることができる。たとえば構造化、被覆、またはゴム被覆などの可能な表面処理を、同様に適用することができる。
【００３７】
受容開口部のそのような処理を、保持ブロック部材の外側輪郭の接触する部分にも適用することができる。こうしてたとえば、摩擦軽減層による接触する部分の処理により、保持ブロック部材内へのさらなる保持ブロック部材の挿入を容易にすることが可能である。
【００３８】
たとえば保持ブロック部材とさらなる保持ブロック部材との間の摩擦を大きくすることによって、両保持ブロック部材間で摩擦ロック接続を生成できること、および、これらを互いに対して固定できることが、さらに可能である。
【００３９】
本発明による保持ブロックの１つの有利な構成では、保持ブロック部材および少なくとも１つのさらなる保持ブロック部材が、ポジティブロックの様式で少なくとも部分的に互いに係合する。
【００４０】
そのようなポジティブロックにより、さらなる保持ブロック部材に対する保持ブロック部材の相対移動を防止することができる。この場合、保護表面に対して垂直に延びる方向においてまたはその反対方向において、保持ブロック部材の移動が防止されれば、とりわけ有利であり得る。
【００４１】
ポジティブロックを、関与する保持ブロック部材の外側輪郭の接触する部分において存在する溝または突出部を介して、実現することができる。溝および突出部を有利には、相補の関係となるように構成することができ、それらの形状をたとえば、矩形または半円形とすることができる。
【００４２】
ポジティブロックを、保持ブロック部材のプラグ端部保護表面とケーブル端部保護表面との間の距離が、さらなる保持ブロック部材の同じ保護表面同士の間の距離よりも大きいという形で形成することもできる。
【００４３】
この構成では、保持ブロック部材は、段部のないおよびずれのない様式で保護表面から続いており、かつ一方側または両側で開口部の上方に延在し、かつ間にさらなる保持ブロック部材が受容される、張り出し部を有する。
【００４４】
保護表面に対して垂直な方向において測定される張り出し部の内部距離を、さらなる保持ブロック部材の保護表面同士の間の距離以上とすることができる。
【００４５】
さらなる保持ブロック部材を、これのために設けられた保持ブロック部材の開口部内に挿入することができる。また、プラグ端部保護表面および／またはケーブル端部保護表面を有する保持ブロック部材の張り出し部は、さらなる保持ブロック部材のさらなる保護表面と少なくとも部分的に重なることができる。
【００４６】
組み立てられた状態では、さらなる保持ブロック部材はしたがって、保護表面に対して垂直な方向に沿ってまたはこれと反対方向に、移動させることができない。
【００４７】
ポジティブロックはさらに、保持ブロック部材に固止されかつさらなる保持ブロック部材の開口部内に押し込むことのできる、ピンを用いて実現することもできる。この場合、ピンを保持ブロック部材およびさらなる保持ブロック部材の両方に固止することができるか、または、このポジティブロックピンおよび対応する開口部が、各保持ブロック部材において交互に存在し得る。
【００４８】
保持ブロック部材の張り出し部を有する上記の実施形態を、たとえば、妨害物またはラッチ機構として構成することができる。保持ブロック部材の互いに対する保持または固定が、こうして保証される。
【００４９】
可能な妨害物によって実現される保持を、対応する力を作用させて容易に解放することができる。一方、掛止フックによって生成される掛止は、この掛止を外すことによってのみ解放することができる。
【００５０】
保持ブロック部材とさらなる保持ブロック部材との間のポジティブロックを、保持ブロックの外側輪郭において、すなわち、特にさらなる保持ブロック部材との保持ブロック部材の接触箇所において、ずれが生じないように、特に構成することができる。前記箇所におけるずれは、保持ブロック部材とさらなる保持ブロック部材との間のポジティブロックが、まだ完全には作り出されていないことを示すものとして機能し得る。
【００５１】
保持ブロックのさらなる有利な構成は、少なくとも１つの受容開口部の開口を封止する、少なくとも１つの固着スリーブ（securing sleeve）を有する。
【００５２】
固着スリーブを、１つの個片としてまたはいくつかの部品で構築される環体として、構成することができる。たとえば、保持ブロックの周囲に両側から設置される２部品の半環体を、この場合考えることができ、この半環体を、この半環体のそれぞれの接触箇所において接続することができる。
【００５３】
固着スリーブを、保持ブロックを完全には取り囲まないが、自体が及ぼすばね力のみによって保持ブロック上に摩擦係合の様式で接続される、クリップとすることもできる。
【００５４】
固着スリーブを、ケーブル端部保護表面およびプラグ端部保護表面の両方から、保持ブロック上に設置することができる。固着スリーブが、各一方側から保持ブロックを覆って敷設または設置可能な、２部品の環体を備えることも可能である。
【００５５】
固着スリーブは、プラグ端部とケーブル端部との間のあらゆる種類の流体および／またはほこりの行き来を防止する、少なくとも１つの封止部材を有し得る。封止部材を、固着スリーブ上におよび／または保持ブロック上に設けることができる。さらに封止部材は、たとえば、保持ブロックと固着スリーブとの間に位置付けられるＯリングとすることができる。
【００５６】
固着スリーブが保持ブロックの外側輪郭に接触する領域を、所望に応じて構成することができる。少なくとも１つの受容開口部に加えて、固着スリーブは、保持ブロックの外側輪郭へと外に開いているさらなる受容開口部を封止することができる。
【００５７】
固着スリーブは、リング形状および矩形の両方または任意の形態となるように構成することができ、保護表面を有し得る。この保護表面は、特に、組み立てられた状態では、保持ブロックの保護表面と平行とすることができる。基部表面をさらに、切れ目のないものとするか、またはこれに開孔を設けることができる。
【００５８】
本発明による保持ブロックは有利には、少なくとも１つの固着スリーブが、保持ブロックの外側輪郭へと開いている受容開口部を封止するように構成され得る。
【００５９】
固着スリーブは、特に全周に関わる様式で、保持ブロックの外側輪郭へと外に開いている全ての受容開口部を封止することができる。前記封止を、表面全体にわたってまたは部分的に実行することができる。たとえば受容開口部の開口にわたって存在する薄いウエブは、たとえば受容開口部の開口の上方に突出しかつ受容開口部を完全には架橋しない自立型ウエブなどの、受容開口部の開口の封止部も表す。
【００６０】
２部品の固着スリーブの場合、受容開口部の保護を、たとえば４分の１ずつまたはこれにもかかわらず任意の他の所望の分割で、たとえば固着スリーブの第１の部品からまたは固着スリーブの第２の部品から交互に、実行することができる。
【００６１】
保持ブロックのさらなる有利な構成では、保持ブロック部材の外側輪郭およびさらなる保持ブロック部材のさらなる外側輪郭の接触する部分は、これらが保持ブロックの外側輪郭へと外に開いていない受容開口部を封止するような様式で構成される。
【００６２】
保持ブロックの外側輪郭は、保持ブロック部材がさらなる保持ブロック部材と１つにされるときにのみ生成され得る。
【００６３】
保持ブロックの外側輪郭へと外に開いていない受容開口部は、固着スリーブを用いて、困難を伴ってしか封止できない。このことは、固着スリーブの複雑な形態によって達成され得るが、保持ブロックの外側輪郭へと外に開いていない受容開口部の封止は好ましくは、保持ブロック部材の外側輪郭およびさらなる保持ブロック部材のさらなる外側輪郭の接触する部分を用いて実行される。
【００６４】
保持ブロックの外側輪郭へと外に開いていない受容開口部は、保持ブロック部材において、さらなる保持ブロック部材において、または両方において、存在し得る。受容開口部を、外側輪郭およびさらなる外側輪郭の接触する部分に沿って、交互に配置することもできる。そのような場合、そのような受容開口部に対向する他方の保持ブロック部材の構造化されていない内部表面は、受容開口部を封止する機能のみを有する。
【００６５】
ただし、保持ブロック部材が１つに接合されて保持ブロックを形成すると受容開口部の最終形状を形成し得る、保持ブロック部材において、単一の受容開口部の２つ以上の部分的に成形された部分を設けることも、さらに可能である。
【００６６】
保持ブロックの外側輪郭上に位置付けられていない受容開口部の構造は、後から受容開口部内に導入されることになる部材を、受容開口部を外側輪郭から中央領域まで延長する必要なく、前記保持ブロック内の中央に、すなわち保持ブロックの外側輪郭まで可能な限り大きい距離をとって、挿入できる、という利点を特に有する。そのような長い受容開口部を回避することにより、保持ブロックの安定性が高まる。
【００６７】
本発明による保持ブロックを有利には、固着スリーブが保持ブロックの外側輪郭をポジティブロックの様式で少なくとも部分的に取り囲むように構成することができる。
【００６８】
固着スリーブは、固着スリーブ上に設けられたポジティブロック部材が保持ブロックとのポジティブロックを形成することができるように、保持ブロックの外側輪郭に完全にまたは部分的に当接して具合よく収まることができる。そのようなポジティブロック部材の単純な構成は、たとえば、保持ブロックの保護表面と平行に配向される固着スリーブの、切れ目のない保護表面または部分的に破断された保護表面である。固着スリーブはそのようにして、保護表面とともに、たとえば、円形の断面を有する保持ブロックのための円筒形の受容部を形成することができる。
【００６９】
保持ブロックのさらなる有利な構成では、これは、保持ブロックを固着スリーブにロックおよび／または固定するための、妨害物（inhibitor）および／またはラッチ機構を有する。
【００７０】
可能な妨害物を、ビードおよび対応する好ましくは相補的な凹部の相互作用によって、実現することができる。この場合、ビードを、保持ブロック上にまたは固着スリーブ上に、位置付けることができる。対応する凹部は、妨害物の他方の部材上に位置付けられる。
【００７１】
妨害物により、再び容易に解放可能でありかつ保持ブロックおよび固着スリーブの互いに対する移動のみを妨害する、保持ブロックと固着スリーブとの間の容易な掛止が可能となる。
【００７２】
可能な掛止を、掛止フックおよび好ましくは相補的な掛止開口部によって実現することができる。掛止フックを、固着スリーブ、保持ブロック上の対応する掛止開口部に取り付けることができる。
【００７３】
掛止フックを、保持ブロックおよび固着スリーブ上の掛止開口部上に位置付けることも可能である。
【００７４】
掛止フックおよび掛止開口部の両方が、保持ブロック上におよび固着スリーブ上に存在することが、さらに可能である。そのような掛止めは、固着スリーブに対する保持ブロックの位置または場所の、より強い固定を表し得る。それでもなお、この固定は、対応する掛止開口部に対する掛止フックの掛止が解放されさえすれば、解放可能である。このことは、好ましくは掛止解放部材によって行われ得る。
【００７５】
本発明による保持ブロックの固着スリーブが、１つの構成において、保護表面のうちの少なくとも１つにおいて係合する少なくとも１つのロック機構を有すれば、有利であり得る。
【００７６】
この少なくとも１つのロック機構を、ピン形状となるように構成することができる。ロック機構を、保持ブロックの外側輪郭に当接して具合よく収まる固着スリーブの内側面上に、直接位置付けることができる。ロック機構が、固着スリーブの保護表面から外に突出することも可能である。
【００７７】
少なくとも１つのロック機構は好ましくは、受容開口部の開口内へと突出する。この場合、ロック機構を、これが受容開口部の開口を封止し、開口に対して遠位にある受容開口部の端部とともに、受容部の最終形状を形成するような形状とすることができる。
【００７８】
保持ブロックの組み立てられた状態において完全に閉じることのできる受容部をこうして、たとえば、断面が平凹状であるロック機構を使用することによって、開口から遠位にある受容開口部の端部において丸みを有する細長い受容開口部から、生成することができる。
【００７９】
ロック機構を、ロック機構の凸状の膨出部が、受容開口部の遠位の曲がりに対向して鏡面対称に位置付けられるように、配向することができる。そのようにして、全周にわたって封止される円形の受容開口部を、そのようなロック機構を使用することによって得ることができる。
【００８０】
固着スリーブの内面上にロック機構が位置付けられる場合、受容部の同じ最終形状を得ることができる。そのようなロック機構は、受容開口部の開口において受容開口部内に係合することができ、受容開口部を有する自立型ロック機構の上記の説明と類似の様式で、前記受容開口部の最終形状を形成することができる。
【００８１】
固着スリーブの環体に取り付けられたそのような外部ロック機構の区域を、一面が凸状で他面が凹状となるように構成することができる。このとき、凹状の側面もこの場合、受容開口部の遠位の曲がりの方を向く。この場合、凹状の側面は、固着スリーブの一部である。
【００８２】
特に外部に存在するロック機構を、材料接続されるように、すなわち固着スリーブの一部として、構成することができる。ロック機構は、保持ブロックの保護表面のうちの１つの中へと、ならびに両方の保護表面を通っての両方で、突出することができる。
【００８３】
保持ブロックおよび固着スリーブが１つに接合されるとき、ロック機構の第１の端部が、保持ブロックのプラグ端部保護表面またはケーブル端部保護表面において、最初に係合する。
【００８４】
ロック機構の第１の端部は、様々な構成を有し得る。ロック機構の第１の端部はこうして、たとえば、面取り部を有し得る。そのような面取り部は、続く前進において受容開口部内に挿入されたさらなる部材と保持ブロックを１つに接合するのを単純化し、固着スリーブおよび保持ブロックが１つに接合されるときに、前記さらなる部材をさらなる部材の最終の場所へと摺動させることができる。
【００８５】
ロック機構の可能な凹状の表面に沿って、ずれのない前進（offset-free progression）または縁部を有する前進(progression with an edge)を形成することができる。
【００８６】
受容開口部の内部表面に対して垂直に測定されるロック機構の幅は、ロック機構を受容する対応する受容開口部と同じ幅を有し得る。
【００８７】
ロック機構を受容開口部内に導入することにより、摩擦係合を表すものでもある一種の圧入嵌合を実現できるように、ロック機構の幅が、受容開口部とちょうど同じ幅または受容開口部よりも僅かに大きい幅を有することも可能である。この摩擦係合は、固着スリーブのおよび保持ブロックの、解放の容易な固定であり得る。
【００８８】
ロック機構は、受容開口部の丸みとちょうど同じように、封止部材を有することができ、この結果、後から受容開口部内に挿入されることになる部材が、プラグ端部とケーブル端部との間のどのような流体および／またはほこりの行き来も防止するような様式で封止される。
【００８９】
本発明によるモジュール式プラグインサートの第１の構成は、保持ブロックを有し、この場合、コンタクト部材を、少なくとも１つの受容開口部内へと、いずれの場合も差込方向を横断する方向に向けられた受容方向に沿って、導入できる。
【００９０】
ケーブル端部保護表面を、プラグ端部保護表面と実質的に平行に配置することができる。
【００９１】
コンタクト部材を、たとえば圧着コンタクトとして構成することができる。そのような圧着コンタクトは、容易な装着を可能にするが、より高い電流の線のために使用する場合は、導電性のスリーブで好ましくは置き換えることができる。
【００９２】
コンタクト部材は、電力ケーブルを終端することができる。この終端を、たとえば、スリーブがケーブル端部上に、ケーブル端部を受容するための空洞を有するという形で、実現することができる。この空洞内で、ケーブル端部を、締め付けまたははんだ付けによって、導電的な様式でスリーブに接続することができる。
【００９３】
コンタクト部材のプラグ端部は、空洞を有する、または中実の構成を有することもできる。いくつかのコンタクト部材が存在する場合、これらは、異なる形態および／またはプラグ端部の端部を有し得る。このようにして、コンタクト部材のサイズおよび／またはコンタクト部材のプラグ端部の端部の構成による、続く嵌合面のコード化を可能にすることが可能である。コンタクト部材は、保持ブロックのケーブル端部保護表面および／またはプラグ端部保護表面から、外に突出することができる。
【００９４】
存在する全てのコンタクト部材が、同じ長さだけ保護表面から外に突出することが可能である。それでもなお、いくつかのまたは単独のコンタクト部材が、その他のコンタクト部材よりも保護表面から外にさらに突出することも可能である。このことはたとえば、存在する他の線の電気的接触よりも前方で接地線の電気的接触を確立すべきである場合に、有利であり得る。保持ブロックの上記の壁と相互作用して、コンタクト部材のケーブル端部の端部は、保持ブロックのケーブル端部保護表面から外に、この方向に同様に突出する壁とこれらが面一となるような様式で、突出することができる。挿入されたコンタクト部材とともに、壁はこの場合、一方では前記コンタクト部材がケーブル端部まで突出する他のコンタクト部材との機械的および／または電気的接触を確立するのを防止するという、また他方では受容開口部において生じ得るコンタクト部材の傾きを最小化するという、機能を有する。
【００９５】
壁とプラグ端部まで突出するコンタクト部材との間の相互作用において、高電圧を印加されるこれらのコンタクト部材が互いから電気的に絶縁されれば、特に有利である。壁により、コンタクト部材および保持ブロックを壁で包囲するプラグ部材に関して、空気距離および発生するクリープ電流の沿面距離、ならびにしたがってクリープ抵抗を大きくすることができる。そのようにして、コンタクト部材を、固守すべき最低沿面距離に達しないということなく、互いまでの距離のより小さいところに配置することができる。コンタクト部材の互いまでのそのようなより小さい距離により、より小さい嵌合面を実現できる。コンタクト部材は好ましくは、対応する受容開口部の形状と相補の関係となるように構成される。
【００９６】
保持ブロックから外に突出するコンタクト部材の部分は、これから逸脱する形状を有し得る。この場合、プラグ端部まで突出するコンタクト部材の端部を、平坦なコンタクトとして構成することが可能である。受容開口部を通る受容部の領域におけるコンタクト部材が、矩形のまたは正方形の断面を有することも可能である。そのような断面形状であれば、それぞれの受容開口部内に挿入されたコンタクト部材が、それら自体の長手軸を中心に回転するのを防止する、という利点を有するであろう。
【００９７】
コンタクト部材は、表面処理および／または被覆を有し得る。この場合、たとえば、差し込みが頻繁である場合にコンタクトを研磨摩耗から保護するために、摩擦を軽減するがそれでもなお導電性である被覆を設けることができる。
【００９８】
保持ブロックのおよび受容開口部の、構造および場所に応じて、保持ブロックの外側輪郭へと外に開いている受容開口部は、常に、すなわち保持ブロックの組み立てられた状態および保持ブロックの組み立てられていない状態の両方において、コンタクト部材を装備していることができる。
【００９９】
保持ブロックの外側輪郭へと外に開いていない受容開口部は、保持ブロック部材の組み立てられていない状態においてのみ、受容開口部内に挿入することができる。
【０１００】
モジュール式プラグインサートのさらなる有利な構成では、少なくとも１つのコンタクト部材が、差込方向におけるまたはその反対方向における変位に抵抗して固着される様式で、保持ブロックの少なくとも１つの受容開口部内に保持される。この場合、コンタクト部材は好ましくは、プラグ端部保護表面およびケーブル端部保護表面に対して実質的に垂直に延在する。
【０１０１】
差込方向におけるまたはその反対方向における変位に抵抗する確実な保持を、たとえば摩擦によって実現することができる。この場合、受容開口部の内部表面および／またはコンタクト部材の、ゴム被覆を使用することが可能である。
【０１０２】
受容開口部の内壁および／またはコンタクト部材に、粗化された部分もしくは波形部を設ける、または、摩擦を大きくする構造を一般的に設けることも可能である。コンタクト部材が、受容開口部における上述の縁部／ずれおよび／または対応する受容開口部内に係合しているロック機構に当接して、静止していることも可能である。こうして、差込方向におけるまたはその反対方向における変位が防止される。
【０１０３】
本発明によるモジュール式プラグインサートは好ましくは、少なくとも１つの保持ブロック部材と少なくとも部分的にポジティブロックさせることの可能な、少なくとも１つのコンタクト部材を有する。
【０１０４】
コンタクト部材と少なくとも１つの保持ブロック部材との間のポジティブロックを、たとえば、コンタクト部材が中央周縁のそりを有する、すなわちコンタクト部材の中央領域において、コンタクト部材の端部におけるよりも大きい直径が測定され得るという形で、実現することができる。コンタクト部材のそのような構成を、たとえば、少なくとも１つの保持ブロック部材の、相補的な様式で構成された受容開口部内に受容することができる。
【０１０５】
コンタクト部材が、側方にすなわちコンタクト部材の長手軸に対して垂直に突出しかつその後で屈曲する、ポジティブロック部材を有することが、さらに可能である。この場合ポジティブロック部材の端部は、これがコンタクト部材の長手軸と平行に延びるような様式で屈曲される。そのような構成を有するポジティブロック部材は、相補的な構成を有する相手側ポジティブロック部材内に係合することができる。この相手側ポジティブロック部材は、保持ブロック部材の受容開口部の内面上に位置付けられ、こうしてポジティブロックを形成する。
【０１０６】
コンタクト部材または受容開口部の内面が、ピン形状のポジティブロック部材を有することも考えられる。このピン形状のポジティブロック部材は、ピン形状のポジティブロック部材が相補的な孔内に係合できるという形で、コンタクト部材と保持ブロック部材との間の接触閉鎖を生み出す。ピン形状のポジティブロック部材を、コンタクト部材のところおよび保持ブロック部材の受容開口部内の両方に、位置付けることができる。孔はこの場合、ポジティブロックに関与するそれぞれの他の部材上に位置付けられる。
【０１０７】
本発明によるモジュール式プラグインサートのさらなる有利な構成では、ポジティブロックは、少なくとも１つのコンタクト部材の外側輪郭と少なくとも１つの受容開口部の内側輪郭との間に、少なくとも部分的に形成される。
【０１０８】
この構成の場合、コンタクト部材は、連続的に一定の横断面または連続的に一定の横断面形状を有し得る。ただしこれらは、受容開口部を通るコンタクト部材の受容部の領域において、この形状またはこのサイズから逸脱することができる。
【０１０９】
コンタクト部材は、コンタクト部材の中央長手軸から離れる方向へとコンタクト部材から外に突き出る、外側輪郭を有し得る。外側輪郭は好ましくは、コンタクト部材の周囲に切れ目なく延びることができ、この結果、ポジティブロックは、長手軸を中心にしたコンタクト部材の回転から、独立したものとなる。
【０１１０】
保持ブロック部材の受容開口部の内側輪郭は、コンタクト部材の外側輪郭と相補の関係となるように構成された溝を有し得る。この溝は、受容開口部の開口の各内壁から、内壁の両側面上に、内壁の遠位の曲がりまで切れ目なく延在し得る。この場合、互いに向かって延びる両溝は、互いへと融合することができる。
【０１１１】
丸形の断面を有するコンタクト部材が使用される場合、切れ目のない円周方向のビードが有利である。ただし、たとえば、断面が円形でない、たとえば断面が矩形であるコンタクト部材が使用され、コンタクト部材の前記断面が、保持ブロック部材の受容開口部の幅を上回る広がりを有する場合は、ポジティブロックを生成する少なくとも１つの部材を、コンタクト部材の外壁に設けることができる。この場合、この広がりに対して垂直に測定される広がりは、受容開口部の幅に対応する。
【０１１２】
ポジティブロックを生み出すこの部材は、たとえば、受容開口部の相補的な溝内へと突き出ることのできるピンとすることができる。コンタクト部材の幾何学形状の結果として、これは、受容開口部内で回転不可能である。この結果、ポジティブロックを生成する少なくとも１つの部材は常に、コンタクト部材が保持ブロック部材の受容開口部内に導入されるとすぐに、保持ブロック部材とのポジティブロックを形成する。
【０１１３】
コンタクト部材の、ポジティブロックを生成する部材の反対の側面も、ポジティブロックを生成する第２の部材を好ましくは有し得る。ポジティブロックを生成するいくつかの部材を、コンタクト部材の受容開口部の内壁に接触している、１つの側面または複数の側面に沿って取り付けることができる。ポジティブロックを生成するこれらの部材を、コンタクト部材の材料から形成すること、すなわち、材料ロックによってコンタクト部材に固止することができる。
【０１１４】
ポジティブロックを生成する部材を、次いで好適な手段を用いて別個の部材としてコンタクト部材に取り付けることも可能である。取り付けをたとえば、はんだ付けまたは接着によって行うことができる。
【０１１５】
本発明の主題について、付随する図面を参照して、明示的な構成に基づいて、以下でさらに詳細に説明する。ここでは、本発明の構成要素および特徴には参照符号が与えられ、この場合、同じ構成要素または同じ機能を有する構成要素には同じ参照符号が与えられ、必要な場合は、区別のために追加の文字が付される。構成要素の特定の組み合わせが本発明の技術的側面にとって重要でない限りは、示される特徴を、所望に応じて組み合わせるおよび／または省略することができる。
【図面の簡単な説明】
【０１１６】
【図１】保持ブロック部材の第１の構成を示す斜視図である。
【図２】保持ブロック部材の第２の構成を示す斜視図である。
【図３】さらなる保持ブロック部材を示す斜視図である。
【図４】固着スリーブを示す斜視図である。
【図５】保持ブロック部材の第２の構成およびコンタクト部材を示す斜視図である。
【図６】さらなる保持ブロック部材および２つのコンタクト部材を示す斜視図である。
【図７】保持ブロック部材の第１の構成およびさらなる保持ブロック部材、ならびに８つのコンタクト部材を示す斜視図である。
【図８】８つのコンタクト部材を有する組み立てられた保持ブロックおよび固着スリーブを示す斜視図である。
【図９】装着されたモジュール式プラグインサートを示す斜視図である。
【発明を実施するための形態】
【０１１７】
図１は、第１の実施形態における保持ブロック部材１を示す。保持ブロック部材１は、ケーブル端部保護表面３およびプラグ端部保護表面５を備える。プラグ端部保護表面５は、ケーブル端部保護表面３と平行とすることができるが、図１では見えない。保持ブロック部材１は、外側輪郭７をさらに有する。図１に示す保持ブロック部材１の外側輪郭７は円形であり、この場合、外側輪郭７は、受容開口部９の開口１５によって中断される。以下により詳細に記載する保持ブロック１２１の外側輪郭８を、図１にも示す。この外側輪郭８は、点線によって示される。ｚ軸は、差込方向Ｓを特徴付ける。この場合、示される実施形態における差込方向Ｓおよびｚ軸は、いずれの場合も、プラグ端部保護表面５に対して垂直である。対向差込方向Ｓ’は、ケーブル端部保護表面３に対して垂直であり、例示の目的で追加的に示されている。
図１はさらに、受容開口部９の各々がいずれの場合も、１つの受容方向Ａを有することを示す。この場合、示される保持ブロック部材１の場合では、全ての受容開口部９の受容方向Ａが、互いとは異なる。ただし受容方向Ａは、これらがｚ軸を横断する方向に存在するということが共通している。示される実施形態では、受容方向Ａは、受容開口部９のそれぞれの内壁１１と平行に存在し、また中心軸Ｍに対して垂直にも配向される。
【０１１８】
中心軸Ｍは、外側輪郭８の中心点１３を通って延びる。この場合、中心点１３は、ケーブル端部保護表面３上およびプラグ端部保護表面５上の両方に位置付けられる。中心軸Ｍはさらに、差込方向Ｓ、対向差込方向Ｓ’、およびｚ軸に沿って延びる。
【０１１９】
受容開口部９は、内壁１１に加えて、開口(orifices)１５および遠位屈曲部（distal bends）１７を有する。図１に示す、保持ブロック部材１の構成の遠位屈曲部１７は、半円形である。受容開口部９において互いに対向する内壁１１は、互いと平行であり、互いからの距離１９を有する。明晰さのために、図１では、内壁１１のこの距離１９を、３つの最も大きい受容開口部９に関してのみ示す。
【０１２０】
内部受容開口部２１は、前記内部受容開口部２１の開口１５が、外側輪郭８上に存在しないことを特徴とする。受容領域２３は、その幅が内部受容開口部２１の開口１５から外側輪郭８に向かってずっと大きくなっており、内部受容開口部２１に隣接している。
【０１２１】
受容領域２３は、２つの受容表面２５によって区切られる。受容表面２５は、互いに対して受容角度２７を成し、内部受容開口部２１の両内壁１１は、それぞれ隣接する受容表面２５とともに角度２６を成す。
【０１２２】
内壁１１の距離１９に加えて、受容開口部９を、受容深さ２９および受容高さ３１によって特徴付けることができる。
【０１２３】
明晰さのために、受容深さ２９および受容高さ３１は、図１において左側に描かれた受容開口部９に対してのみ付されている。しかしこれらを、存在する全ての受容開口部９に適用することができる。
【０１２４】
図１ではさらに、受容開口部９が、外側輪郭７において始まり内壁１１に沿っておよび遠位屈曲部１７に沿って延びる、溝３３を有することが明らかである。この遠位屈曲部１７において、それぞれの２つの内壁１１に沿って互いに向かって先細となる両溝が、互いへと融合する。図１では、溝３３は、全ての受容開口部９に関して見えている訳ではない。
【０１２５】
さらに、内部受容開口部２１は、溝３３を有さずに、矩形の断面を有する隆起部３５を有するので、例外である。隆起部３５は、遠位屈曲部１７に向かって面する内壁１１の端部において始まり、隆起部３５が互いに向かって先細となり遠位屈曲部１７において互いへと融合するまで、遠位屈曲部１７に従う。この機能的な違いについて、続く図の説明において詳細に検討する。
【０１２６】
さらに、ケーブル端部保護表面３および外側輪郭７の両方を中断する掛止開口部３７を、図１に示す。ここで示す掛止開口部３７は、立方体形状の凹部を表す。この場合、ケーブル端部保護表面３の平面内での掛止開口部３７の広がりは、ｚ方向における掛止開口部の広がりよりも有意に大きい。
【０１２７】
保持ブロック部材１の第２の構成を、図２に示す。保持ブロック部材１の図２に示す第２の構成は、両受容表面２５にまたがる受容角度２７、および、１つの受容表面２５および内部受容開口部２１のそれぞれの隣接する内壁１１にまたがる角度２６を有する。角度２６および受容角度２７は図１に示されており、明晰さのために、図２では再び示されてはいない。図１の保持ブロック部材１の第１の構成の特徴に加えて、この第２の構成は、いくつかのさらなる部材を有する。
【０１２８】
ケーブル端部保護表面３はここでは、受容開口部９によってだけではなく、壁３９によっても中断される。
【０１２９】
壁３９は、対向差込方向Ｓ’においてケーブル端部保護表面３から外に突出する。示される壁３９を、示される実施形態では、４つの接触箇所４３において互いへと融合する４つの壁部分４１から成るものと見なすことができる。これらの接触箇所４３は、壁を安定させ、さらに、空洞４５を形成する。
【０１３０】
壁部分４１は、受容開口部９の内壁１１の伸張部を実質的に表し、この受容開口部９には、対向差込方向Ｓ’において壁部分４１が設けられる。
【０１３１】
この場合、受容開口部９の受容高さ３１は、壁高さ４７によって高くなる。壁高さ４７を、下向きに開いている受容開口部９を使用して、図２に示す。この壁高さ４７は、全体としての保持ブロック部材１にわたって一定である。
【０１３２】
壁部分４１は、対応する受容開口部９の内壁１１の距離１９よりも大きい壁距離４９を有する。このことを、図２において右に開いている受容開口部９を使用して示す。これらの異なる距離の機能的背景について、後の図においてより詳細に説明する。
【０１３３】
外側輪郭７へと外に開いている受容開口部９に属する、壁部分４１の壁保護表面５１は、外側輪郭７の延長部を表さない。むしろ、外側輪郭７から離れて保持ブロック部材１の内側へと変位して配置される。
【０１３４】
外側輪郭７および８ならびに壁保護表面５１を、左に開かれた受容開口部９に関してのみ、図２に示す。ここでは外側輪郭８を、点線で表す。
【０１３５】
さらに、図２の保持ブロック部材１の構成は、受容領域２３を部分的に取り囲む受容表面２５が、追加の案内部材５３を有するという点で、図１の構成とは異なる。これらの案内部材５３は、ケーブル端部保護表面３およびプラグ端部保護表面５に対してずれがなく、受容領域２３の部分的な把持を表す。
【０１３６】
受容領域２３の、案内部材５３によって取り囲まれる部分は、案内部材の内側で測定されるため受容高さ３１よりも小さい、案内幅５５を有する。
【０１３７】
図２の保持ブロック部材１の構成と図１の構成との間のさらなる違いは、外側輪郭７の周縁に沿った広がりが大きく拡大されている、掛止開口部３７である。
【０１３８】
さらなる保持ブロック部材５７を、図３に示す。さらなる保持ブロック部材５７は、図１および図２の保持ブロック部材１と実質的に同じ構成要素を有する。図３に表されるさらなる保持ブロック部材５７の構成は、２つの受容開口部９ａを有し、その内壁１１および遠位屈曲部１７上に、切れ目のない溝３３がそれぞれ延びる。
【０１３９】
示されるさらなる保持ブロック部材５７の内壁１１も、互いと平行であり、また受容方向Ａと平行である。示されるさらなる保持ブロック部材５７はさらに、さらなるケーブル端部保護表面３ａおよびさらなるプラグ端部保護表面５ａを有する。ただしさらなるプラグ端部保護表面５ａは、図３では見ることができない。さらなる保護表面３ａ、５ａの両方は、例示の実施形態では互いと平行に配置され、示される受容方向Ａの両方と平行でもある。
【０１４０】
さらなるケーブル端部保護表面３ａおよびさらなるプラグ端部保護表面５ａは、屈曲した縁部表面５９によって部分的に取り囲まれる。この場合、前記縁部表面５９は、以下でより詳細に説明する図において、外側輪郭８の一部を表す。
【０１４１】
さらなる保持ブロック部材５７はさらに、さらなるケーブル端部保護表面３ａおよび屈曲した縁部表面５９を中断する掛止開口部３７を有する。
【０１４２】
さらなる保持ブロック部材５７はさらに、いずれの場合も受容開口部９の開口１５によって中断される、２つのさらなる受容表面６１を有する。この結果、さらなる受容表面６１は、２つの部分表面から構成されることになる。
【０１４３】
さらなる保持ブロック部材５７はさらに、屈曲した縁部表面５９から遠位にある端部において互いと平行に延びる、２つの受容表面６３を有する。縁部表面５９から離れる方向を向く受容表面６３の端部において、さらなる保持ブロック部材５７が、遠位凹状屈曲部１７へと融合する。この遠位凹状屈曲部１７は、遠位屈曲部１７に従いかつ同じ曲がりを有する、隆起部３５ａを有する。
【０１４４】
さらなる受容表面６１は、それぞれ隣接する受容表面６３と角度２６を成し、これは示される構成では、９０°から１８０°の間である。明晰さのために、角度２６は、図３において左に開かれた受容開口部９のところにのみ描かれている。
【０１４５】
角度２６を示すために、さらなる受容表面６１と平行な、点線の基準線が描かれている。さらなる受容表面６１の両方は、互いに角度２７を成す。
【０１４６】
固着スリーブ６５を、図４に示す。固着スリーブ６５は、環体６７、および差込方向Ｓを向く、縁部７１において環体６７へと融合する保護表面６９を、実質的に備える。
【０１４７】
保護表面６９および両縁部７１の両方は、いずれの場合も、ｘ−ｙ軸と平行な、すなわちｚ軸に対して垂直な、平面にまたがる。
【０１４８】
保護表面６９は、直径７５を有するいくつかの丸形の孔７３を有する。直径７５は、複数の孔７３に関して異なっていてもよく、または特定の孔に関して同じ値を有してもよい。図４では、直径７５は、例として、ある孔７３に基づいて表される。
【０１４９】
固着スリーブ６５はさらに、対向差込方向Ｓ’に保護表面６９から離れるように、またはｚ軸の反対方向に保護表面６９から離れるように延在する、ロック機構７７を有する。
【０１５０】
この場合、ロック機構７７は、自立型ロック機構７９を表し得るか、または環体６７に接続され得る。固着スリーブ６５のロック機構７７は、いずれの場合も孔７３に割り当てられ、この場合、いずれの場合も割り当てられた孔７３を向く湾曲した表面８１は、割り当てられた孔７３と同じ曲率を有する。ただし、湾曲した表面８１は、割り当てられた孔７３から離れるようにずらして配置される。
【０１５１】
ロック機構７７は、対向差込方向Ｓ’に向くロック機構７７の端部において、面取り部８３を追加的に有する。湾曲した表面８１は、面取り部８３の領域においてさらに延び、ここにおいてはもはや差込方向Ｓまたは対向差込方向Ｓ’と平行ではなく、むしろ関連付けられた孔７３から離れるような傾斜を有する。
【０１５２】
自立型ロック機構７７は、それぞれの湾曲した表面８１の反対側に、自立型受容表面（free-standing receiving surface）２５ａを有する。
【０１５３】
対向差込方向Ｓ’に向く固着スリーブ６５の縁部７１は、可撓性掛止部材８７を形成する凹部８５を有する。対向差込方向Ｓ’に向く掛止部材８７の自立型端部には、保護表面６９および環体６７によって形成された受容領域９１の方向に向く掛止フック８９が装備される。受容領域９１は、固着スリーブ６５のここで描かれる構成では、差込方向Ｓにおいて到達可能である。他方で受容領域９１は、保護表面６９によって区切られるため、対向差込方向Ｓ’においては到達可能ではない。
【０１５４】
図５は、第２の構成の保持ブロック部材１およびコンタクト部材９３を示す。コンタクト部材９３は、円筒形の基体９５およびビード９７を備える。ビード９７は、矩形の断面を有し、円筒形の基体の周囲で、切れ目なく周縁を取り巻くように構成される。
【０１５５】
ビード９７を、円筒形の基体９５上に押し付けられる別個の環体によって実現することができるか、または、円筒形の基体９５の成形された構成要素とすることができる。
【０１５６】
円筒形の基体９５は、対応する受容開口部９の内壁１１の距離１９以下である、外径９９を有する。
【０１５７】
円筒形の基体９５は、差込方向Ｓまたは対向差込方向Ｓ’に沿って延在し、したがって、保持ブロック部材１のケーブル端部保護表面３およびプラグ端部保護表面５に対して垂直である。コンタクト部材９３は、円筒形の基体９５によって取り囲まれる空洞１００を有する。
【０１５８】
周縁ビード９７は、ビード高さ１０１およびビード幅１０３を有する。この場合、ビード高さ１０１は溝深さ１０５に実質的に対応し、ビード幅１０３は溝幅１０７に実質的に対応する。
【０１５９】
図５に示す左および右に開いている受容開口部９は、同一となるように構成されるので、溝深さ１０５および溝幅１０７は、左に開いている受容開口部９上に示されている。保持ブロック部材１のおよびコンタクト部材９３の、図５に示す組み合わせは、装着前の位置１１１における、モジュール式プラグインサート１０９を示す。
【０１６０】
コンタクト部材９３は、関連付けられた受容開口部９と関連付けられる受容方向Ａに沿って変位可能である。またこのコンタクト部材９３は、周縁ビード９７が受容開口部９の溝３３内に係合し、遠位屈曲部１７に達するまで溝３３内を案内されるような様式で、前記受容方向Ａに沿って受容開口部９内に挿入することができる。示されるコンタクト部材９３を受容するための、図５で提供される受容開口部９の遠位屈曲部１７または溝３３は、いずれも見えないので、図５において左に開いている同一に構成された受容開口部に、対応する参照符号を与える。
【０１６１】
さらなる保持ブロック部材５７および２つのコンタクト部材９３を、図６に示す。左側に描かれたコンタクト部材９３は、依然として受容開口部９の外側に位置付けられており、右側に描かれたコンタクト部材９３は、既に受容開口部９内に挿入されている。
【０１６２】
対応する受容開口部９内へのコンタクト部材９３の挿入は、受容方向Ａに沿って行われたか、または行われる。この場合、コンタクト部材９３の周縁ビード９７は、相補的な様式で構成された、対応する受容開口部９の溝３３内に係合する。
【０１６３】
溝３３はこうして、周縁ビード９７のための案内部としての役割を果たす。また、この溝３３は結果として、差込方向Ｓまたは対向差込方向Ｓ’に沿ったコンタクト部材の配向を変えることなく、受容方向Ａに沿って移動する全体としてのコンタクト部材９３のための案内部としての役割も果たす。
【０１６４】
図５におけるように、図６に示すコンタクト部材９３のビード幅１０３は、対応する受容開口部９の溝幅１０７に概ね対応する。ただし、図６のコンタクト部材９３は、プラグ端部コンタクト部分１１５が、ケーブル端部コンタクト部分１１７の外径９９から逸脱する外径９９を有する、第２の構成で示されている。
【０１６５】
プラグ端部コンタクト部分１１５は、周縁ビード９７から差込方向Ｓにおいて延在する。一方、ケーブル端部コンタクト部分１１７は、対向差込方向Ｓ’において周縁ビード９７から離れるように延在する。プラグ端部のビード高さ１０１はしたがって、溝深さ１０５に対応し、一方、ケーブル端部のビード高さ１０１は、溝深さ１０５を上回る。
【０１６６】
それでもなお、外部ビード径１１３が、対応する受容開口部９の内壁１１の距離１９を上回るので、コンタクト部材９３は、周縁ビード９７によって溝３３内に保持される。
【０１６７】
図６に示す右側のコンタクト部材９３は、受容開口部９内に、遠位屈曲部１７まで完全に挿入されている。周縁ビード９７と溝３３との間のポジティブロックにより、差込方向Ｓまたは対向差込方向Ｓ’に沿ったコンタクト部材９３の変位が防止される。しかし、このポジティブロックは、コンタクト部材９３が、最初の受容方向Ａと反対方向に受容開口部９から取り外し可能であることを防げない。
【０１６８】
図７に、モジュール式プラグインサート１０９を、第２の装着前の位置１１９で示す。この第２の装着前の位置１１９では、様々な構成を有するコンタクト部材９３を、保持ブロック部材１のおよびさらなる保持ブロック部材５７の、それぞれの受容開口部９内に挿入することができる。
【０１６９】
この第２の装着前の位置１１９では、保持ブロック部材１およびさらなる保持ブロック部材５７は、１つに接合されて、保持ブロック１２１を形成する。このことは、さらなる保持ブロック部材５７が、ｙ軸と反対の方向に、保持ブロック部材１の受容領域２３内へと移動される、という形で行われる。
【０１７０】
さらなる保持ブロック部材５７の外部表面６３は、保持ブロック部材１の受容表面２５を通過して、内部受容開口部２１内へと案内される。この場合、さらなる保持ブロック部材５７の前記外部表面６３は、内部受容開口部２１の内壁１１同士の間で案内される。
【０１７１】
保持ブロック部材１とちょうど同じように、さらなる保持ブロック部材５７は、内部コンタクト部材１２３の溝（図７では見えない）内に係合する、隆起部３５を有する。さらなる保持ブロック部材５７はこうして、さらなる保持ブロック部材５７の隆起部３５および内部コンタクト部材１２３の溝３３内でのその係合によって、ｙ軸と反対の方向に沿って案内される。
【０１７２】
さらに、保持ブロック部材１の受容領域２３内へのさらなるコンタクト部材５７の挿入中、保持ブロック部材１の案内部材５３は、さらなる保持ブロック部材５７のさらなるケーブル端部保護表面３ａおよびさらなるプラグ端部保護表面５ａの上に係合する。
【０１７３】
ｙ軸と反対の方向に沿ったさらなる保持ブロック部材５７のさらなる移動の場合、さらなる保持ブロック部材５７の外部表面６３は、内部受容開口部２１の内壁１１に沿って、ｙ軸と反対の方向に向くさらなる保持ブロック部材５７の遠位屈曲部１９が、内部コンタクト部材１２３に接触するまで、摺動する。
【０１７４】
この状態に達すると、さらなる保持ブロック部材５７のさらなる受容表面６１は、保持ブロック部材１の受容表面２５に当接して具合よく収まる。このことは、保持ブロック部材１の角度２６がさらなる保持ブロック部材５７の角度２６に対応し、保持ブロック部材１のおよびさらなる保持ブロック部材５７の受容角度２７も同一である、という形で保証される。明晰さのために、これらの角度は、図７には示さない。
【０１７５】
保持ブロック部材１の受容領域２３内にさらなる保持ブロック部材５７を挿入することにより、内部コンタクト部材１２３が、受容開口部９から外に出る移動に抵抗して固定される。図７に示すさらなるコンタクト部材９３は、なおそのような固定を有さないが、上側コンタクト部材１２５は、保持ブロック部材１の受容表面２５によって、対応する受容開口部９を離れることを防止される。
【０１７６】
この第２の装着前の位置１１９では、存在する全てのコンタクト部材が、差込方向Ｓにおけるまたは対向差込方向Ｓ’における移動に抵抗して固着される。この固着は、いずれの場合も、対応して相補の関係となるように構成される、対応する受容開口部９の溝３３内に係合する、それぞれのコンタクト部材９３の周縁ビード９７によって行われる。
【０１７７】
内部コンタクト部材１２３および負荷コンタクト１２７は、いずれの場合も、ケーブル端部保護表面から対向差込方向Ｓ’において、対応する受容開口部９から外に突出する。前記コンタクト部材のケーブル端部コンタクト部分１１７はこの場合、対応する壁部分４１によって、壁部分４１がプラグ端部コンタクト部分１１５に接触することなく取り囲まれる。
【０１７８】
壁部分４１とケーブル端部コンタクト部分１１７との間の空洞を使用して、コンタクト部材９３のケーブル端部コンタクト部分１１７を絶縁することができる（図示せず）。壁部分４１はさらに、負荷コンタクト１２７と内部コンタクト部材との間の電気的絶縁部としての役割を果たす。
【０１７９】
図７は、対向差込方向Ｓ’に向く負荷コンタクト１２７の端部が、壁３９の保護表面６９と面一である場合である、モジュール式プラグインサートの構成を示す。このことは、負荷コンタクト１２７のケーブル端部コンタクト部分１１７が、対向差込方向Ｓ’において壁３９を越えて突出しないこと、および同じくこれらが差込方向Ｓにおいて壁３９の中に沈み込まないことを意味する。
【０１８０】
対照的に、内部コンタクト部材１２３は、対向差込方向Ｓ’において壁３９の保護表面６９を経由して突出する、ケーブル端部コンタクト部分１１７を有する。このことはたとえば、内部コンタクト部材１２３が接地接続としての役割を果たす場合に有利であり得る。この場合、接地線の接触閉鎖は好ましくは、それ以外の電流導線および電圧導線が電気的接触を確立する前に行われる。
【０１８１】
完全に装着された保持ブロック１２１を有する、第３の装着前の位置１２９にあるモジュール式プラグインサート１０９を、図８に示す。この第３の装着前の位置１２９では、互いに向かって、固着スリーブ６５は対向差込方向Ｓ’に移動され、モジュール式プラグインサート１０９は差込方向Ｓに移動される。
【０１８２】
コンタクト部材９３のプラグ端部コンタクト部分１１５は、固着スリーブ６５の保護表面６９にある孔７３によって案内される。コンタクト部材９３のプラグ端部コンタクト部分１１５はこうして、差込方向Ｓにおいて、保護表面６９を通ってこれから離れるように突出する。
【０１８３】
固着スリーブのおよびモジュール式プラグインサート１０９の、さらなる引き合わせの間、固着スリーブ６５のロック機構７７は、対向差込方向Ｓ’において、外側輪郭８へと開いている受容開口部９の開口１５内に係合する。
【０１８４】
自立型ロック機構７９は、さらなる保持ブロック部材５７の受容開口部９内に係合し、それらの自立型受容表面２５ａとともに、保持ブロック部材１の受容表面２５に沿って対向差込方向Ｓ’に摺動する（図１または図２を参照）。
【０１８５】
モジュール式プラグインサート１０９におけるコンタクト部材９３はまだ最終位置１３１に固定されていないので、湾曲した表面８１の面取り部がコンタクト部材９３の周縁ビード９７と接触する場合、ロック機構７７の前記面取り部８３が、コンタクト部材９３を、それぞれの受容方向Ａに沿って完全に受容開口部９内へと押し込むために使用される。
【０１８６】
固着スリーブ６５が、保持ブロック１２１のプラグ端部保護表面５と接触する場合、固着スリーブ６５の掛止部材８７が、保持ブロック１２１から離れるように屈曲し、固着スリーブ６５の受容領域９１内への保持ブロック１２１のさらなる押し込みを可能にする。
【０１８７】
この場合、掛止部材の掛止フック８９は、保持ブロック部材１の外側輪郭７の上をまたは保持ブロック１２１の外側輪郭８の上を、前記掛止フック８９が保持ブロック１２１の掛止開口部３７内に掛止されるまで摺動する。
【０１８８】
掛止フック８９が掛止開口部３７と噛み合う場合、モジュール式プラグインサート１０９は、組み立てられた状態１３３に位置付けられる。この組み立てられた状態１３３では、差込方向Ｓおよび対向差込方向Ｓ’の両方におけるコンタクト部材９３の移動、ならびにそれぞれの受容方向Ａに沿ったまたはこれと反対方向の移動が、防止される。
【０１８９】
図９は、モジュール式プラグインサート１０９を組み立てられた状態１３３で示す。プラグ端部コンタクト部分１１５は、差込方向Ｓにおいて固着スリーブ６５から外に突出する。
【０１９０】
コンタクト部材９３のケーブル端部コンタクト部分１１７は、対向差込方向Ｓ’において保持ブロック１２１から外に突出する。この場合、負荷コンタクト１２７は、対向差込方向Ｓ’において壁３９と面一で終端する。
【０１９１】
対照的に、内部コンタクト部材１２３は、対向差込方向Ｓ’において壁３９を越えて突出する。
【０１９２】
固着スリーブ上に位置付けられた掛止部材８７の掛止フック８９は、保持ブロック１２１の掛止開口部３７内に掛止され、こうしてポジティブロックを形成する。
【符号の説明】
【０１９３】
１  保持ブロック部材
３  ケーブル端部保護表面
３ａ  さらなるケーブル端部保護表面
５  プラグ端部保護表面
５ａ  さらなるプラグ端部保護表面
７  保持ブロック部材の外側輪郭
７ａ  さらなる外側輪郭
８  保持ブロックの外側輪郭
９  受容開口部
１１  内壁
１３  中心点
１５  開口
１７  遠位屈曲部
１９  距離
２１  内部受容開口部
２３  受容領域
２５  受容表面
２５ａ  固着スリーブの受容表面
２６  角度
２７  受容角度
２９  受容深さ
３１  受容高さ
３３  溝
３５  隆起部
３５ａ  さらなる保持ブロック部材の隆起部
３７  掛止開口部
３９  壁
４１  壁部分
４３  接触箇所
４５  空洞
４７  壁高さ
４９  壁距離
５１  壁保護表面
５３  案内部材
５５  案内幅
５７  さらなる保持ブロック部材
５９  屈曲した縁部表面
６１  さらなる受容表面
６３  外部表面
６５  固着スリーブ
６７  環体
６９  保護表面
７１  縁部
７３  孔
７５  直径
７７  ロック機構
７９  自立型ロック機構
８１  湾曲した表面
８３  面取り部
８５  凹部
８７  掛止部材
８９  掛止フック
９１  受容領域
９３  コンタクト部材
９５  円筒形の基体
９７  ビード
９９  外径
１００  空洞
１０１  ビード高さ
１０３  ビード幅
１０５  溝深さ
１０７  溝幅
１０９  モジュール式プラグインサート
１１１  装着前の位置
１１３  ビード径
１１５  プラグ端部コンタクト部分
１１７  ケーブル端部コンタクト部分
１１９  第２の装着前の位置
１２１  保持ブロック
１２３  内部コンタクト部材
１２５  上側コンタクト部材
１２７  負荷コンタクト
１２９  第３の装着前の位置
１３１  最終位置
１３３  組み立てられた状態
Ａ  受容方向
Ｍ  中心軸
Ｓ  差込方向
Ｓ’  対向差込方向
Ｚ  ｚ軸
【図１】
0006735154.tif 000002
【図２】
0006735154.tif 000003
【図３】
0006735154.tif 000004
【図４】
0006735154.tif 000005
【図５】
0006735154.tif 000006
【図６】
0006735154.tif 000007
【図７】
0006735154.tif 000008
【図８】
0006735154.tif 000009
【図９】
0006735154.tif 000010